(57)【要約】【課題】当日の計測データと前日の計測データとを視認性よく比較できるようにする。グラフを描画するための処理を少なくする。時間目盛を確認しなくても１日の時刻と計測データの変化を把握できるようにする。【解決手段】時間軸を０〜２４時の固定軸とする。所定時間（例えば、１時間）が経過する毎に現在時刻を示す現在位置線Ｌ１を時間軸に直交して表示する（図３（ａ），（ｂ）参照）。この際、最古の表示データ（Ｄ１ｏｌｄ）を画面上から消去し、現在位置線Ｌ１上に最新の表示候補データ（Ｄ２ｎｅｗ）を表示する。また、それまで表示されていた前日の表示データ（Ｄ２ｏｌｄ）は、右横にずらし、現在位置線Ｌ１との間に空白部ｈ１を設け、１周期前の計測データとして残す。【選択図】  図３
2007033071.tif 000002
【特許請求の範囲】
【請求項１】
周期的に繰り返される時間帯を表示対象時間帯とし、この表示対象時間帯を示す時間軸を第１軸、この第１軸に直交する第２軸を所定の時間間隔で計測された計測データのデータ値を示すデータ軸とし、この第１軸と第２軸を基軸として前記表示対象時間帯の計測データをグラフ化して表示するトレンドグラフ表示装置において、
前記第１軸に直交して、前記表示対象時間帯における現在位置を示す現在位置線を所定時間が経過する毎に移動させて表示する現在位置表示手段と、
前記現在位置線が移動する毎に、最古の表示データを画面上から消去し、最新の表示候補データを画面上に表示させる手段と
を備えたことを特徴とするトレンドグラフ表示装置。
【請求項２】
請求項１に記載されたトレンドグラフ表示装置において、
前記第２軸に直交して前記計測データに対する上限を示す第１の補助線および下限を示す第２の補助線の少なくとも一方を表示する手段
を備えたことを特徴とするトレンドグラフ表示装置。
【請求項３】
請求項１又は２に記載されたトレンドグラフ表示装置において、
前記表示対象時間帯は、所定の時刻を起点として始まる２４時間の時間帯であることを特徴とするトレンドグラフ表示装置。
【発明の詳細な説明】
【技術分野】
【０００１】
この発明は、熱量、流量、往水温度、還水温度などの計測データ、特にその時間的な変化をグラフ化して表示するトレンドグラフ表示装置に関するものである。
【背景技術】
【０００２】
従来より、空調サービスのために使用された熱源からの供給熱量を把握したり、提供した空調サービスに応じた課金請求を行うために、積算熱量計が利用されている。
積算熱量計は、熱量の瞬時値を計測しそのデータを保持するだけでなく、少なくとも２４時間分の１時間毎の積算熱量を計測・保持することができる。したがって、この２４時間分の計測された１時間毎の積算熱量をグラフ化すると、１日の熱量の供給（又は消費）パターンが得られ、これを解析すると空調設備の運用の改善などを図ることができる。
【０００３】
そこで、従来のシステムでは、積算熱量計に蓄えられた２４時間分の計測データ（１時間毎の積算熱量）を中央管理装置に通信で送るようにし、中央管理装置でそれらのデータを解析したり、加工して、その結果をトレンドグラフとして比較的大型のモニタに表示していた（特許文献１参照）。
【特許文献１】特開平８−１９０４２３号公報
【発明の開示】
【発明が解決しようとする課題】
【０００４】
しかしながら、最近では、このような中央管理装置を用いた規模の大きなシステムではなく、積算熱量計自体に設けられた小さな表示部でトレンドグラフを表示させる小規模なシステムが望まれている。この場合、積算熱量計自体の小さな表示部では、空間的及び表示機能上、大型のモニタのようにきめ細かな表示ができない。このため、一般的に、次のような方式でトレンドグラフを表示することが考えられる。
【０００５】
〔表示方式１〕
例えば、図１０（ａ）に示すように、０時から２４時までの１日を表示対象時間帯とし、この表示対象時間帯を示す時間軸を第１軸（横軸）、この第１軸に直交する第２軸（縦軸）をデータ値を示すデータ軸とし、この時間軸とデータ軸を基軸として０時から現在までの計測データ（１時間毎の積算熱量）をプロットし、プロットした計測データを折れ線でつなぐ。この折れ線グラフ（トレンドグラフ）の表示を毎日繰り返す。なお、次の日のトレンドグラフの表示を行う場合、前日分のトレンドグラフはクリアする。
【０００６】
〔表示方式２〕
例えば、図１１（ａ）に示すように、現在時刻をグラフ右端に固定し、現在の計測データ（１時間毎の積算熱量）から２４時間前までの計測データをプロットし、折れ線でつなぐ。新たな計測データが得られる毎に、表示済みの全データを表示画面上でシフトさせて新たな計測データを表示すると同時に、時間軸の時刻表示を更新する（図１１（ｂ）参照）。
【０００７】
〔表示方式１の問題点〕
表示方式１とした場合、前日分のトレンドグラフがクリアされてしまうため、現在時刻が２４時の場合（図１０（ｂ）参照）を除いて、同時刻の当日の計測データと前日の計測データとをグラフ上で比較することができない。
【０００８】
〔表示方式２の問題点〕
表示方式２とすると、常に１周期分（２４時間分）のデータが表示されていることになるが、当日の計測データ（現在時刻の計測データや現在時刻近傍の計測データ）と前日の計測データ（１周期前の現在時刻の計測データや１周期前の現在時刻近傍の計測データ）とがそれぞれグラフの端に位置するため、当日の計測データと前日の計測データとを比較する際の視認性が悪い。
また、新たな計測データが得られる毎に、時間軸の時刻表示が更新されるため、時間目盛を確認しないと、１日の時刻と計測データの変化を把握することができない。
また、新たな計測データが得られる毎に、トレンドグラフ全体をシフトする必要があり、グラフを描画するための処理が増大する。
【０００９】
本発明は、このような課題を解決するためになされたもので、その目的とするところは、当日の計測データと前日の計測データとを視認性よく比較することが可能な、また、グラフを描画するための処理が少なくて済み、時間目盛を確認しなくても１日の時刻と計測データの変化を把握することが可能なトレンドグラフ表示装置を提供することにある。
【課題を解決するための手段】
【００１０】
このような目的を達成するために本発明は、周期的に繰り返される時間帯を表示対象時間帯とし、この表示対象時間帯を示す時間軸を第１軸、この第１軸に直交する第２軸を所定の時間間隔で計測された計測データのデータ値を示すデータ軸とし、この第１軸と第２軸を基軸として表示対象時間帯の計測データをグラフ化して表示するトレンドグラフ表示装置において、第１軸に直交して、表示対象時間帯における現在位置を示す現在位置線を所定時間が経過する毎に移動させて表示する現在位置表示手段と、現在位置線が移動する毎に、最古の表示データを画面上から消去し、最新の表示候補データを画面上に表示させる手段とを設けたものである。
【００１１】
この発明によれば、現在位置を示す現在位置線が第１軸（時間軸）に直交して表示され、例えば、表示対象時間帯を０時から２４時までの１日とすると、所定時間（例えば、１時間）が経過する毎に、この現在位置線が第１軸上を１時間単位で移動する。また、この現在位置線が移動する毎に、画面上から最古の表示データが消去され、最新の表示候補データが画面上に表示される。
これにより、現在位置線を境にして、当日の計測データ（現在時刻の計測データや現在時刻近傍の計測データ）と前日の計測データ（１周期前の現在時刻の計測データや１周期前の現在時刻近傍の計測データ）とを比較することができる。
また、この場合、画面上では、その殆どの計測データが画面上に固定表示されるので、グラフを描画するための処理が少なくて済む。
また、この場合、表示対象時間帯は０時から２４時までの固定された時間帯とされ、時間軸における時刻位置が変化しないので、時間目盛を確認しなくても、１日の時刻と計測データの変化を把握することが可能となる。
【００１２】
本発明では、周期的に繰り返される時間帯を表示対象時間帯とするが、０時から２４時までの１日に限られるものではなく、０〜６０分までの１時間を表示対象時間帯としたり、１週間を表示対象時間帯とするなどとしてもよい。すなわち、本発明において、表示対象時間帯は、計測データに同様の傾向が現れる時間帯（同様の事象が繰り返される時間帯）であればよい。
また、本発明において、計測データとして、熱量、流量、往水温度、還水温度などのデータが想定されるが、勿論、他のデータ表示にも適用可能である。熱量や流量の場合、単位時間毎の積算熱量や積算流量を計測データとしたり、瞬時熱量や瞬時流量を計測データとすることも想定される。
【００１３】
また、本発明において、第２軸に直交して計測データに対する上限を示す第１の補助線を表示したり、下限を示す第２の補助線を表示したりしてもよい。このようにすると、例えば、現在位置線を境にして近接表示される当日の計測データと前日の計測データとの間に大きな乖離が生じたような場合、それらの計測データに対して正常／異常を容易に確認することが可能となる。
【発明の効果】
【００１４】
本発明によれば、第１軸に直交して、表示対象時間帯における現在位置を示す現在位置線を所定時間が経過する毎に移動させて表示するものとし、現在位置線が移動する毎に、最古の表示データを画面上から消去し、最新の表示候補データを画面上に表示させるようにしたので、例えば、０時から２４時までの１日を表示対象時間帯とした場合、現在位置線を境にして、当日の計測データ（現在時刻の計測データや現在時刻近傍の計測データ）と前日の計測データ（１周期前の現在時刻の計測データや１周期前の現在時刻近傍の計測データ）とが表示されるものとなり、当日の計測データと前日の計測データとを視認性よく比較することができるようになる。
また、画面上では、その殆どの計測データが固定表示されるので、グラフを描画するための処理が少なくて済む。また、表示対象時間帯は０時から２４時までの固定された時間帯とされ、時間軸における時刻位置が変化しないので、時間目盛を確認しなくても、１日の時刻と計測データの変化を把握することが可能となる。
【００１５】
また、本発明によれば、第２軸に直交して計測データに対する上限を示す第１の補助線および下限を示す第２の補助線の少なくとも一方を表示することにより、例えば、現在位置線を境にして近接表示される当日の計測データと前日の計測データとの間に大きな乖離が生じたような場合、それらの計測データに対して正常／異常を容易に確認することが可能となる。
【発明を実施するための最良の形態】
【００１６】
以下、本発明を図面に基づいて詳細に説明する。図１はこの発明に係るトレンドグラフ表示装置の一実施の形態を示す積算熱量計のブロック構成図である。
この積算熱量計１は、プロセス信号入力部２と、サンプリング部３と、ＣＰＵ４と、ＲＡＭ５と、ＲＯＭ６と、表示部７と、インタフェース８および９とを備えている。表示部７は、液晶とされ、その表示スペースは小さい。
【００１７】
プロセス信号入力部２は、アナログ信号を取り込むアナログインタフェース回路、デジタル信号を取り込むデジタルインタフェース回路などを備えており、空調サービスのために使用された熱源からの供給熱量を示すプロセス信号を取り込み、これをサンプリング部３に供給する。
【００１８】
サンプリング部３は、予め設定されているサンプリング周期で、プロセス信号入力部２を介して送られてくるプロセス信号をサンプリングし、これをデジタル信号形式のプロセス値（サンプリングデータ）としてＣＰＵ４へ送る。
【００１９】
ＣＰＵ４は、インターフェイス８を介するサンプリング部３からのプロセス値を取り込み、ＲＡＭ５にアクセスしながら、ＲＯＭ６に格納されたプログラムに従って動作する。ＲＯＭ６には、本実施の形態特有のプログラムとして、計測データ（この例では、１時間毎の積算熱量）をグラフ化して表示するトレンドグラフ表示プログラムが格納されている。
【００２０】
〔実施の形態１〕
以下、図２および図３に示す表示例を参照しながら、ＲＯＭ６に格納されたトレンドグラフ表示プログラムに従ってＣＰＵ４が実行する処理動作について説明する。
ＣＰＵ４は、インターフェイス８を介するサンプリング部３からのプロセス値を取り込み、このプロセス値を供給熱量の瞬時値としてＲＡＭ５に格納する。そして、この供給熱量の瞬時値を１時間毎に積算し、積算した１時間毎の積算熱量を計測データとしてＲＡＭ５に格納すると共に、表示部７にグラフ化して表示する。
【００２１】
〔１日目〕
図２（ａ）は０時に計測を開始してから１時間経過した後の表示部７における計測データの表示例である。この場合、ＣＰＵ４は、０時から２４時までの１日を表示対象時間帯とし、この表示対象時間帯を示す時間軸（０〜２４時の固定軸）を第１軸（横軸）、この第１軸に直交する第２軸（縦軸）をデータ値を示すデータ軸とし、表示部７に、時間軸とデータ軸を基軸として０時から１時までの間の積算熱量を１時における計測データとしてプロットし、０時における計測データ（この例では、零）と折れ線で結ぶ。また、ＣＰＵ４は、時間軸に直交して、表示対象時間帯における現在位置を示す現在位置線Ｌ１を表示する。この場合、時間軸の１時の位置に、現在位置線Ｌ１を表示する。
【００２２】
図２（ｂ）は０時に計測を開始してから２時間経過した後の表示部７における計測データの表示例である。この場合、ＣＰＵ４は、それまで１時の位置に表示していた現在位置線Ｌ１を２時の位置に移動させ、１時から２時までの間の積算熱量を２時における計測データとしてプロットし、１時における計測データと折れ線で結ぶ。
【００２３】
以下、同様にして、ＣＰＵ４は、１時間が経過する毎に、現在位置線Ｌ１を次の時刻位置に移動させ、計測データをプロットし、折れ線で結んで行く。図２（ｃ）に０時に計測を開始してから２４時間経過した後の表示部７における計測データの表示例を示す。
【００２４】
〔２日目〕
次に、ＣＰＵ４は、現在時刻が翌日（２日目）の１時になると、現在位置線Ｌ１を表示対象時間帯の１時の位置に移動させ（図３（ａ）参照）、最古の表示データ（前日の０時の表示データＤ０ｏｌｄ（図２（ｃ）参照））を画面上から消去し、現在位置線Ｌ１上に最新の表示候補データ（この例では、当日の１時の計測データＤ１ｎｅｗ）を表示する。なお、画面上から消去した最古の表示データ（前日の０時の表示データＤ０ｏｌｄ）の後には、当日の０時の表示データＤ０ｎｅｗ（Ｄ２４ｏｌｄ）を表示する。また、それまでその位置に表示されていた前日の１時の表示データＤ１ｏｌｄは、右横にずらし、現在位置線Ｌ１との間に空白部ｈ１を設け、１周期前の計測データとして残す。
【００２５】
次に、ＣＰＵ４は、現在時刻が２時になると、現在位置線Ｌ１を表示対象時間帯の２時の位置に移動させ（図３（ｂ）参照）、最古の表示データ（当日の１時の表示データＤ１ｏｌｄ）を画面上から消去し、現在位置線Ｌ１上に最新の表示候補データ（この例では、当日の２時の計測データＤ２ｎｅｗ）を表示する。なお、それまでその位置に表示されていた前日の２時の表示データＤ２ｏｌｄは、右横にずらし、現在位置線Ｌ１との間に空白部ｈ１を設け、１周期前の計測データとして残す。
【００２６】
以下、同様にして、ＣＰＵ４は、１時間が経過する毎に、現在位置線Ｌ１を次の時刻位置に移動させ、最古の表示データを画面上から消去し、現在位置線Ｌ１上に最新の表示候補データを表示し、それまでその位置に表示されていた表示データを１周期前の計測データとして右横にずらすという動作を繰り返す。図３（ｃ）に２日目の１２時間が経過した後の表示部７における計測データの表示例を示す。
【００２７】
以上の説明から分かるように、本実施の形態によれば、現在位置線Ｌ１を境にして、当日の計測データ（現在時刻の計測データおよび現在時刻近傍の計測データ）と前日の計測データ（１周期前の現在時刻の計測データおよび１周期前の現在時刻近傍の計測データ）とが表示されるので、当日の計測データと前日の計測データとを視認性よく比較することができるようになる。
また、本実施の形態によれば、画面上では、最古の表示データが消去され、現在位置線Ｌ１上に最新の表示候補データが表示され、それまでその位置に表示された表示データが右横にずらされるだけであり、殆どの計測データが固定表示さるので、グラフを描画するための処理が少なくて済む。
【００２８】
また、本実施の形態によれば、表示対象時間帯は０時から２４時までの固定された時間帯とされ、時間軸における時刻位置が変化しないので、時間目盛を確認しなくても、１日の時刻と計測データの変化を把握することが可能となる。すなわち、熱量消費は通常毎日同じパターンで変化し、１日の固定された時間軸でトレンドデータを見ることにより、通常のパターンと異常が発生したパターンを管理者が容易に判断することができる。
【００２９】
また、本実施の形態によれば、１周期前の計測データが現在位置線Ｌ１との間に空白部ｈ１を設けて表示されるので、現在位置線Ｌ１を境にして表示される当日の計測データと前日の計測データとの区別が容易となり、さらに視認性が向上する。
【００３０】
なお、図４に示すように、データ軸（第２軸）に直交して計測データに対する上限を示す第１の補助線Ｈ１を表示したり、下限を示す第２の補助線Ｈ２を表示したりしてもよい。このようにすると、現在位置線Ｌ１を境にして近接表示される当日の計測データと前日の計測データとの間に大きな乖離が生じたような場合、それらの計測データに対して正常／異常を容易に確認することが可能となる。
【００３１】
上述した実施の形態では、計測データを１時間毎の積算熱量としたが、１時間毎の積算流量とするようにしてもよい、また、瞬時熱量や瞬時流量、往水温度、還水温度などのデータを計測データとしてもよく、他のデータ表示にも同様にして適用可能である。
【００３２】
また、上述した実施の形態では、積算熱量だけを計測データとしてグラフ表示するようにしたが、複数の計測データを同一画面に同様にしてグラフ表示するようにしてもよい。図５に瞬時熱量ＥＮＧと瞬時流量ＦＬＷを計測データとして同一画面にグラフ表示するようにした例を示す。図６に往水温度ＴＳと還水温度ＴＲを計測データとして同一画面にグラフ表示するようにした例を示す。瞬時流量や瞬時熱量を表示する場合、例えば３０分毎に現在位置線Ｌ１を移動し、計測データをプロットする。
【００３３】
複数の計測データをグラフ表示する場合、計測データのそれぞれについて、個別にレンジを設定することにより、分解能の低い表示器でも、データの変化を把握することができる。レンジ変更により、過去のデータのレンジも切り替えるようにすると、過去のデータを正確に分析することができる。
【００３４】
また、上述した実施の形態では、表示対象時間帯を０時から２４時までの１日としたが、計測データに同様の傾向が現れる時間帯（同様の事象が周期的に繰り返される時間帯）であればよく、０〜６０分までの１時間を表示対象時間帯としたり、１週間を表示対象時間帯としたりしてもよい。また、長期の時間帯とはなるが、１年間を表示対象時間帯としたりするなどとしてもよい。
【００３５】
また、上述した実施の形態では、表示データとして残される１周期前の計測データを現在位置線Ｌ１との間に空白部ｈ１を設けて表示するようにしたが、必ずしも空白部ｈ１は設けなくてもよい。
また、上述した実施の形態では、時間軸に０〜２４時までの時刻位置を表示したが、時間軸における時刻位置は変化しないので、０〜２４時までの時刻位置の表示を省略してもよい。
【００３６】
また、上述した実施の形態では、積算熱量計を例にとって説明したが、積算熱量計に限られるものではないことも言うまでもない。本発明は、小さな表示画面でのトレンドグラフの表示を実現するために有効であり、積算流量計のような表示スペースの小さい装置に適用すると効果的である。勿論、本発明は、大画面表示装置への適用も可能である。
【００３７】
〔実施の形態２〕
また、上述した実施の形態では、現在位置線Ｌ１との間に空白部ｈ１を設けて、１周期前の計測データを表示するようにしたが、１周期前の計測データを表示しないようにしてもよい。例えば、図７（ａ），（ｂ）に示すように、現在時刻が３時になった場合、現在位置線Ｌ１を表示対象時間帯の３時の位置に移動させ、最古の表示データとして前日の３時の表示データＤ３ｏｌｄを画面上から消去し、現在位置線Ｌ１上に最新の表示候補データ（この例では、当日の３時の計測データＤ３ｎｅｗ）を表示するようにしてもよい。
【００３８】
〔実施の形態３〕
また、図８（ａ），（ｂ）に示すように、現在位置線Ｌ１上には計測データを表示せず、例えば、現在時刻が３時になった場合、現在位置線Ｌ１を表示対象時間帯の３時の位置に移動させ、最古の表示データとして前日の３時の表示データＤ３ｏｌｄを画面上から消去し、それまで現在位置線Ｌ１があった２時の位置に最新の表示候補データである当日の２時の計測データＤ２ｎｅｗを表示するようにしてもよい。
【００３９】
図９に実施の形態３の変形例を示す。図８では画面上に計測データをプロットし、折れ線で結ぶようにしているが、図９に示すように段階状にデータをプロットして行くようにしてもよい。図９では、現在位置線Ｌ１を３０分毎に移動させるようにし、データプロットエリア幅を２ドットとしている。このようにすることによって、プロットしたデータを折れ線で結ぶ必要がなくなり、処理が簡単となる。
【００４０】
図９（ａ）は現在時刻が２３：３０になった時の表示例であり、現在位置線Ｌ１をそれまでの２３：００の位置から２３：３０の位置に移動させ、前日の２３：３０の表示データ（最古の表示データ）Ｄｏｌｄを画面上から消去し、それまで現在位置線Ｌ１があった位置に当日の２３：００の計測データ（最新の表示候補データ）Ｄｎｅｗを表示している。
【００４１】
図９（ｂ）は現在時刻が００：００（２４：００）になった時の表示例であり、現在位置線Ｌ１をそれまでの２３：３０の位置から００：００の位置に移動させ、前日の００：００の表示データ（最古の表示データ）Ｄｏｌｄを画面上から消去し、それまで現在位置線Ｌ１があった位置に最新の２３：３０の計測データ（最新の表示候補データＤｎｅｗ）を表示している。
【００４２】
図９（ｃ）は現在時刻が００：３０になった時の表示例であり、現在位置線Ｌ１をそれまでの００：００の位置から００：３０の位置に移動させ、前日の００：３０の表示データ（最古の表示データ）Ｄｏｌｄを画面上から消去し、それまで現在位置線Ｌ１があった位置に当日の００：００の計測データ（最新の表示候補データ）Ｄｎｅｗを表示している。
【図面の簡単な説明】
【００４３】
【図１】本発明に係るトレンドグラフ表示装置の一実施の形態を示す積算熱量計のブロック構成図である。
【図２】この積算熱量計におけるＣＰＵの処理動作を説明するための表示例（１日目）を示す図である。
【図３】この積算熱量計におけるＣＰＵの処理動作を説明するための表示例（２日目（実施の形態１））を示す図である。
【図４】データ軸に直交して計測データに対する上限を示す第１の補助および下限を示す第２の補助線を表示した例を示す図である。
【図５】瞬時熱量と瞬時流量を計測データとして同一画面にグラフ表示するようにした例を示す図である。
【図６】往水温度と還水温度を計測データとして同一画面にグラフ表示するようにした例を示す図である。
【図７】この積算熱量計における他の表示例（実施の形態２）を説明する図である。
【図８】この積算熱量計における他の表示例（実施の形態３）を説明する図である。
【図９】実施の形態３の変形例を説明する図である。
【図１０】小スペースの表示部でのトレンドグラフの表示方式として一般的に考えられる表示方式１を説明する図である。
【図１１】小スペースの表示部でのトレンドグラフの表示方式として一般的に考えられる表示方式２を説明する図である。
【符号の説明】
【００４４】
１…積算熱量計、２…プロセス信号入力部、３…サンプリング部、４…ＣＰＵ、５…ＲＡＭ、６…ＲＯＭ、７…表示部、９，１０…インタフェース、Ｌ１…現在位置線、ｈ１…空白部、Ｈ１，Ｈ２…補助線。
【図１】
2007033071.tif 000003
【図２】
2007033071.tif 000004
【図３】
2007033071.tif 000005
【図４】
2007033071.tif 000006
【図５】
2007033071.tif 000007
【図６】
2007033071.tif 000008
【図７】
2007033071.tif 000009
【図８】
2007033071.tif 000010
【図９】
2007033071.tif 000011
【図１０】
2007033071.tif 000012
【図１１】
2007033071.tif 000013